(57)【要約】【課題】比較的大きな空間や屋外における使用であっても、薬剤保持体から薬剤を効率よく揮散させ、且つ十分に拡散させることを可能とする薬剤揮散装置を提供する。【解決手段】揮散性薬剤を保持可能な間隙１１が形成された薬剤保持層１０と、間隙１１より大きいサイズの空隙２１が形成された通気層２０とを有する薬剤保持体５０と、薬剤保持体５０を回転させる回転駆動部６０と、を備えた薬剤揮散装置１００であって、薬剤保持体５０の回転時に３３．６〜１５０（Ｇ）の遠心効果が得られるように、薬剤保持体５０の形状及びサイズ、並びに回転駆動部６０の回転速度が設定されている。【選択図】図２
2019047815.tif 000002
【特許請求の範囲】
【請求項１】
揮散性薬剤を保持可能な間隙が形成された薬剤保持層と、前記間隙より大きいサイズの空隙が形成された通気層とを有する薬剤保持体と、
前記薬剤保持体を回転させる回転駆動部と、
を備えた薬剤揮散装置であって、
前記薬剤保持体の回転時に３３．６〜１５０（Ｇ）の遠心効果が得られるように、前記薬剤保持体の形状及びサイズ、並びに前記回転駆動部の回転速度が設定されている薬剤揮散装置。
【請求項２】
前記薬剤保持体は、前記通気層の厚み（Ａ）と前記薬剤保持層の厚み（Ｂ）との比率（Ｐ＝Ａ／Ｂ）が１．５より大きく５０以下の値となるように設定され、
前記回転駆動部は、前記遠心効果（Ｇ）を前記比率（Ｐ）で除した遠心揮散指数（Ｔ＝Ｇ／Ｐ）が１．１より大きく２２未満の値となるように、前記回転速度が設定されている請求項１に記載の薬剤揮散装置。
【請求項３】
前記薬剤保持体は、前記薬剤保持層と前記通気層とを積層したものであり、積層方向において、前記薬剤保持層は、前記通気層の片側又は両側に配置されている請求項１又は２に記載の薬剤揮散装置。
【請求項４】
前記薬剤保持体は、前記通気層に隣接する位置に、当該通気層の形態を維持する形態維持層を有する請求項１〜３の何れか一項に記載の薬剤揮散装置。
【請求項５】
前記薬剤保持体は、回転軸に直交する円盤形状に構成されている請求項１〜４の何れか一項に記載の薬剤揮散装置。
【請求項６】
前記薬剤保持体は、回転軸に平行な中空円筒形状に構成されている請求項１〜４の何れか一項に記載の薬剤揮散装置。
【請求項７】
前記薬剤保持体は、前記回転駆動部が接続される回転カートリッジに収納されている請求項１〜６の何れか一項に記載の薬剤揮散装置。
【請求項８】
前記揮散性薬剤は、３０℃における蒸気圧が２×１０−４〜１×１０−２ｍｍＨgであるピレスロイド化合物を含む請求項１〜７の何れか一項に記載の薬剤揮散装置。
【請求項９】
揮散性薬剤が保持された薬剤保持体を回転させて、前記揮散性薬剤を空気中に揮散させる薬剤揮散方法であって、
３３．６〜１５０（Ｇ）の遠心効果が得られるように、前記薬剤保持体の回転速度を調整する回転調整工程を包含する薬剤揮散方法。
【発明の詳細な説明】
【技術分野】
【０００１】
本発明は、揮散性薬剤を空気中に揮散させる薬剤揮散装置、及び薬剤揮散方法に関する。
【背景技術】
【０００２】
害虫を駆除するため、害虫を忌避又は死滅させる薬剤を空間に揮散させる薬剤揮散装置が製品化されている。例えば、揮散性薬剤を拡散用材（薬剤保持体）に保持させ、これを駆動手段によって駆動することにより、揮散性薬剤を空気中に揮散させる装置があった（例えば、特許文献１を参照）。特許文献１によれば、薬剤の揮散性を高めるため、拡散用材をファンの形状に構成すること、さらには、薬剤の揮散量を増大させるため、拡散用材を加熱することが記載されている。
【０００３】
また、セルサイズが２〜５ｍｍである多数の貫通セルを有するハニカム構造体を薬剤保持用担体（薬剤保持体）として使用したものがあった（例えば、特許文献２を参照）。特許文献２によれば、薬剤保持用担体のハニカム構造により薬剤の保持面積が広く確保され、さらには、薬剤保持用担体に空気流を通過させたときの抵抗を小さくできることが記載されている。
【先行技術文献】
【特許文献】
【０００４】
【特許文献１】特開平５−６８４５９号公報
【特許文献２】特開平１１−９２３０３号公報
【発明の概要】
【発明が解決しようとする課題】
【０００５】
薬剤揮散装置は、主に屋内で使用されるケースが多いが、昨今の住宅事情の変化等により、薬剤揮散装置の使用空間は大型化する傾向がある。また、一般住宅における居間等だけでなく、オフィス、店舗、作業場等の比較的大きな空間や、さらには、屋外においても薬剤揮散装置を使用したいという要望も増えている。
【０００６】
この点に関し、特許文献１及び特許文献２に係る発明は、大きな空間や屋外において使用することを想定したものではない。特許文献１において使用されている薬剤保持体は、通常の家屋の居室程度の空間において使用されることが記載されている（特許文献１の明細書第００２９段落を参照）。特許文献２の薬剤保持体は、実施例として６畳間の居室における害虫防除試験が示されている（特許文献２の明細書第００３２段落を参照）。このように、特許文献１及び特許文献２に係る発明は、いずれも一般的な住宅の居室等で使用されるものであるため、比較的大きな空間で使用したり、屋外に持ち出したりすると、薬剤の揮散効果を十分に発揮させることができない場合がある。
【０００７】
本発明は、上記問題点に鑑みてなされたものであり、比較的大きな空間や屋外における使用であっても、薬剤保持体から薬剤を効率よく揮散させ、且つ十分に拡散させることを可能とする薬剤揮散装置、及び薬剤揮散方法を提供することを目的とする。
【課題を解決するための手段】
【０００８】
上記課題を解決するための本発明に係る薬剤揮散装置の特徴構成は、
揮散性薬剤を保持可能な間隙が形成された薬剤保持層と、前記間隙より大きいサイズの空隙が形成された通気層とを有する薬剤保持体と、
前記薬剤保持体を回転させる回転駆動部と、
を備えた薬剤揮散装置であって、
前記薬剤保持体の回転時に１０〜１５０（Ｇ）の遠心効果が得られるように、前記薬剤保持体の形状及びサイズ、並びに前記回転駆動部の回転速度が設定されていることにある。
【０００９】
薬剤保持体に保持された揮散性薬剤の揮散効率を高めるためには、一般に、特許文献１に記載のように薬剤保持体を回転させて気流を発生させたり、また、特許文献２に記載のように薬剤保持体にファンの風を当てる等の対策が行われる。従来技術においては、例えば、特許文献１の場合、薬剤保持体に作用する遠心力を大きくする必要があると考えられていた。ところが、本発明者らによる最近の検討結果によれば、薬剤保持体からの揮散性薬剤の揮散効率を高めるためには、単に薬剤保持体の回転数や風力を上げたり、薬剤保持体のサイズを大きくして当該薬剤保持体に作用する遠心力を高めればよいとは限らず、薬剤保持体において適切な遠心効果が得られるように各種の調整を行うことが重要であることが明らかとなった。そこで、本発明では、薬剤揮散装置として上述の構成を採用した。
本構成の薬剤揮散装置によれば、薬剤保持体は、揮散性薬剤を保持可能な間隙が形成された薬剤保持層と、前記間隙より大きいサイズの空隙が形成された通気層とを有するため、薬剤保持層の間隙に保持された揮散性薬剤は、通気層の空隙に移動することにより空気中に揮散し易い状態となる。この状態で回転駆動部が薬剤保持体を回転させると、揮散性薬剤は空気中に揮散するが、このとき、薬剤保持体において１０〜１５０（Ｇ）の遠心効果が得られるように、薬剤保持体の形状及びサイズ、並びに回転駆動部の回転速度が設定されている。このため、薬剤保持体に保持されている揮散性薬剤は、空気中に効率よく揮散し、且つ十分に拡散することができる。従って、本構成の薬剤揮散装置であれば、比較的大きな空間や屋外における使用であっても、揮散性薬剤の効果を十分に発揮させることが可能となる。
【００１０】
本発明に係る薬剤揮散装置において、
前記薬剤保持体は、前記通気層の厚み（Ａ）と前記薬剤保持層の厚み（Ｂ）との比率（Ｐ＝Ａ／Ｂ）が１．５より大きく５０以下の値となるように設定され、
前記回転駆動部は、前記遠心効果（Ｇ）を前記比率（Ｐ）で除した遠心揮散指数（Ｔ＝Ｇ／Ｐ）が１．１より大きく２２未満の値となるように、前記回転速度が設定されていることが好ましい。
【００１１】
本構成の薬剤揮散装置によれば、薬剤保持体における通気層の厚み（Ａ）と薬剤保持層の厚み（Ｂ）との比率（Ｐ＝Ａ／Ｂ）、及び回転駆動部における遠心揮散指数（Ｔ＝Ｇ／Ｐ）が適切な範囲に設定されているため、薬剤保持体に保持されている揮散性薬剤は、より効率よく揮散し、且つ十分に空気中に拡散することができる。従って、本構成の薬剤揮散装置であれば、比較的大きな空間や屋外における使用であっても、揮散性薬剤の効果を確実に発揮させることが可能となる。
【００１２】
本発明に係る薬剤揮散装置において、
前記薬剤保持体は、前記薬剤保持層と前記通気層とを積層したものであり、積層方向において、前記薬剤保持層は、前記通気層の片側又は両側に配置されていることが好ましい。
【００１３】
本構成の薬剤揮散装置によれば、薬剤保持層及び通気層が適切な積層体として薬剤保持体を構成しているため、通気層の通気性を維持しながら、薬剤保持層に保持されている揮散性薬剤を空気中に効率よく揮散させ、且つ確実に拡散させることができる。
【００１４】
本発明に係る薬剤揮散装置において、
前記薬剤保持体は、前記通気層に隣接する位置に、当該通気層の形態を維持する形態維持層を有することが好ましい。
【００１５】
本構成の薬剤揮散装置によれば、通気層に隣接する位置に設けられた形態維持層によって通気層の形態が維持されるため、薬剤保持体の通気性を十分に確保することができる。従って、薬剤保持体に保持されている揮散性薬剤を略すべて空気中に揮散させて無くなるまで、薬剤揮散装置を使用することが可能となる。
【００１６】
本発明に係る薬剤揮散装置において、
前記薬剤保持体は、回転軸に直交する円盤形状に構成されていることが好ましい。
【００１７】
本構成の薬剤揮散装置によれば、薬剤保持体を回転軸に直交する円盤形状とすることで、薬剤保持体が薄型化されるため、携帯性に優れた薬剤揮散装置を構成することができる。
【００１８】
本発明に係る薬剤揮散装置において、
前記薬剤保持体は、回転軸に平行な中空円筒形状に構成されていることが好ましい。
【００１９】
本構成の薬剤揮散装置によれば、薬剤保持体を回転軸に平行な中空円筒形状とすることで、長さ方向において回転軸から薬剤保持層までの距離が等しくなるため、薬剤保持層のあらゆる位置において揮散性薬剤に作用する遠心効果が略等しくなる。その結果、薬剤保持体の全周に亘って、略均一な薬剤揮散効果を発揮させることができる。
【００２０】
本発明に係る薬剤揮散装置において、
前記薬剤保持体は、前記回転駆動部が接続される回転カートリッジに収納されていることが好ましい。
【００２１】
本構成の薬剤揮散装置によれば、薬剤保持体は回転カートリッジに収納された状態で回転駆動部によって回転されるため、遠心力で薬剤保持体が変形することが抑制される。その結果、薬剤保持体の回転時における遠心効果のバラツキを低減することができる。
【００２２】
本発明に係る薬剤揮散装置において、
前記揮散性薬剤は、３０℃における蒸気圧が２×１０−４〜１×１０−２ｍｍＨgであるピレスロイド化合物を含むことが好ましい。
【００２３】
本構成の薬剤揮散装置によれば、揮散性薬剤として適度な蒸気圧を有するピレスロイド化合物を使用しているため、薬剤保持体の遠心効果により、ピレスロイド化合物を空気中に効率よく揮散させ、且つ十分に拡散させることができる。
【００２４】
上記課題を解決するための本発明に係る薬剤揮散方法の特徴構成は、
揮散性薬剤が保持された薬剤保持体を回転させて、前記揮散性薬剤を空気中に揮散させる薬剤揮散方法であって、
１０〜１５０（Ｇ）の遠心効果が得られるように、前記薬剤保持体の回転速度を調整する回転調整工程を包含することにある。
【００２５】
本構成の薬剤揮散方法によれば、上述した本発明の薬剤揮散装置と同様の優れた効果を奏することができる。
すなわち、薬剤保持体の回転速度を調整する回転調整工程を行うにあたり、薬剤保持体において１０〜１５０（Ｇ）の遠心効果が得られるように、薬剤保持体の形状及びサイズ、並びに回転駆動部の回転速度が設定されているため、薬剤保持体に保持されている揮散性薬剤は、空気中に効率よく揮散し、且つ十分に拡散することができる。従って、本構成の薬剤揮散方法を実施すれば、比較的大きな空間や屋外における使用であっても、揮散性薬剤の効果を十分に発揮させることが可能となる。
【図面の簡単な説明】
【００２６】
【図１】図１は、本発明の薬剤揮散装置に使用される薬剤保持体の概略斜視図である。
【図２】図２は、本発明の第一実施形態に係る薬剤揮散装置の概略構成図である。
【図３】図３は、本発明の第二実施形態に係る薬剤揮散装置の概略構成図である。
【発明を実施するための形態】
【００２７】
以下、本発明の薬剤揮散装置に関する実施形態について説明する。本発明の薬剤揮散方法については、薬剤揮散装置の説明中で併せて説明する。ただし、本発明は、以下に説明する実施形態や図面に記載される構成に限定されることを意図しない。
【００２８】
本発明の薬剤揮散装置は、基本構成として、薬剤保持体と回転駆動部とを備える。説明の便宜上、初めに薬剤保持体及び当該薬剤保持体に保持される揮散性薬剤について説明し、その後、本発明の薬剤揮散装置について説明する。
【００２９】
〔薬剤保持体〕
図１は、本発明の薬剤揮散装置に使用される薬剤保持体５０の概略斜視図である。図１中の拡大円は、薬剤保持体５０の積層面の一部を拡大したものである。薬剤保持体５０は、薬剤保持層１０と通気層２０とを備えており、さらに任意の構成として形態維持層３０を備えている。薬剤保持層１０には、後述する揮散性薬剤を保持可能な間隙１１が形成されている。薬剤保持層１０は、間隙１１の毛管現象によって揮散性薬剤を薬剤保持層１０の内部に吸い上げ、保持することができる。通気層２０には、空気が通流可能な空隙２１が形成されている。通気層２０の空隙２１は、薬剤保持層１０の間隙１１より大きいサイズに設定されている。これにより、薬剤保持層１０の間隙１１に保持された揮散性薬剤は、通気層２０の空隙２１に移動することにより空気中に揮散し易い状態となる。
【００３０】
薬剤保持層１０及び通気層２０には、メッシュ状繊維シート、織布、不織布、編物等の繊維構造体が好適に使用されるが、多孔質シート、多孔質フィルム等の多孔質体を使用することも可能である。薬剤保持層１０及び通気層２０は、同一の素材で構成してもよく、異なる素材で構成してもよい。薬剤保持層１０及び通気層２０を同一の素材で構成する場合は、同一素材で構成された間隙１１を有する薬剤保持層１０と空隙２１を有する通気層２０とを別々に準備し、これらを互いに接合することで薬剤保持体５０を形成する。あるいは、薬剤保持層１０と通気層２０とを一体化した繊維構造体又は多孔質体として形成し、繊維構造体における繊維間隙又は多孔質体における孔径が、薬剤保持層１０の側より通気層２０の側の方が大きくなるような段階構造又は傾斜構造を備えたものとすることも可能である。薬剤保持層１０及び通気層２０を異なる素材で構成する場合は、例えば、薬剤保持層１０として織布を使用し、通気層２０としてメッシュ状繊維シートを使用し、両者を接合した繊維構造体とする。この場合、薬剤保持層１０及び通気層２０に使用する繊維は、保持している揮散性薬剤を安定して揮散できるとともに、その揮散状態を良好に持続できる素材が選択される。繊維構造体の素材（繊維）としては、例えば、木綿、麻、羊毛、絹等の天然繊維、レーヨン等の半合成繊維、ポリエステル（ポリエチレンテレフタレート、ポリブチレンテレフタレートなど）、ナイロン、アクリル、ビニロン、ポリエチレン、ポリプロピレン、アラミド、ポリフェニレンサルファイド等の合成繊維、ガラス繊維、カーボン繊維、セラミック繊維、金属繊維等の無機繊維が挙げられる。これらの繊維のうち、ポリエステル、ナイロンが好ましく使用される。また、上掲の繊維は、単独で使用することも可能であるが、異なる複数種の繊維を組み合わせて使用することも可能である。
【００３１】
なお、薬剤保持層１０と通気層２０とを積層して薬剤保持体５０を形成する場合、図１に示すように、その積層方向において、薬剤保持層１０を通気層２０の片側にのみ配置してもよいが、通気層２０の両側に配置することも可能である。また、薬剤保持層１０と通気層２０とを通常この順に繰り返し交互に積層し、三層以上の構成とすることも可能である。さらには、薬剤保持層１０の薬剤保持能力や強度に支障を来さない限りにおいて、薬剤保持層１０に通気孔を適宜穿設し、薬剤揮散性の改善を図ることも可能である。
【００３２】
ところで、薬剤保持体５０の通気層２０に立体メッシュ状の繊維シート等の繊維構造体を使用する場合においては、薬剤保持体５０の通気性を良好に確保する必要があり、そのためには通気層２０における繊維間隙（空隙２１）が崩れないようにする必要がある。そこで、薬剤保持体５０においては、図１に示すように、通気層２０に隣接する位置に形態維持層３０を設けることが好ましい。形態維持層３０は、通気層２０を構成する繊維を製編することで、通気層２０の空隙２１を維持するように機能する。これにより、薬剤保持体５０は通気性を十分に確保することができる。その結果、薬剤保持体５０に保持されている揮散性薬剤を略すべて空気中に揮散させて無くなるまで使用することが可能となる。なお、薬剤保持体５０の素材の通気性は、日本工業規格（ＪＩＳ  Ｌ  １０９６）に準拠して測定される通気度として、２００〜５００ｃｍ３／ｃｍ２／秒の範囲となるように設定することが好ましい。素材の通気度が上記の範囲であれば良好な毛管現象をもたらし、揮散性薬剤の移動がスムーズに行われて、効率的な揮散に繋がる。
【００３３】
薬剤保持体５０を構成する薬剤保持層１０及び通気層２０、並びに任意の構成である形態維持層３０は、夫々適切な厚みに設定される。薬剤保持層１０は、０．０５〜３ｍｍ、好ましくは０．２〜１ｍｍに設定される。薬剤保持層１０の厚みが０．０５ｍｍ未満の場合、揮散性薬剤を保持する容量が不足し、揮散性薬剤の効果を十分且つ持続的に発揮させることが困難となる。薬剤保持層１０の厚みが３ｍｍを超える場合、薬剤保持層１０による揮散性薬剤の保持力が過大となって揮散性薬剤の一部が薬剤保持層１０に残留し、効率よく揮散させることが困難となる。また、薬剤保持層１０が嵩張るため、様々な形態に加工することが困難となる。通気層２０は、０．５〜６ｍｍ、好ましくは１〜５ｍｍに設定される。通気層２０の厚みが０．５ｍｍ未満の場合、通気層２０が揮散性薬剤によって過剰に湿潤され、また、通気層によって生起される風力（攪拌気流）が弱くなり、揮散性薬剤を効率よく揮散させることが困難となる。通気層２０の厚みが６ｍｍを超える場合、薬剤保持体５０の厚みに対する制約から薬剤保持層１０の厚みを薄くせざるを得ず、その結果、薬剤保持体１０の薬剤保持能力に支障が生じたり、あるいは、通気層２０の通気抵抗が増大したりして、揮散性薬剤の揮散状態が不安定となる。形態維持層３０は、０．２〜１ｍｍに設定される。形態維持層３０の厚みが上記の範囲であれば、薬剤保持体５０の通気性を確保しながら、薬剤保持体５０の形態を長時間に亘って維持することができる。
【００３４】
〔揮散性薬剤〕
薬剤保持体５０に保持される揮散性薬剤は、室温において通常の揮散性を有する薬剤であれば、特に限定されない。また、薬剤保持体５０の揮散性薬剤の保持量は、使用用途や有効持続時間等の条件に応じて、４０〜２０００ｍｇの範囲で調整可能である。本発明において使用可能な揮散性薬剤は、例えば、揮散性を有するピレスロイド化合物、殺虫剤、殺ダニ剤、忌避剤、抗菌剤、防虫香料、消臭剤等が挙げられる。これらのうち、揮散性を有するピレスロイド化合物は、防虫効果及び殺虫効果に優れた揮散性薬剤であるため好ましく使用されるが、特に、３０℃における蒸気圧が２×１０−４〜１×１０−２ｍｍＨgであるピレスロイド化合物は、揮散性と持続性とのバランスが良好であるため、より好ましく使用される。有用な揮散性を有するピレスロイド化合物を例示すると、２，３，５，６−テトラフルオロベンジル  ２，２−ジメチル−３−（２，２−ジクロロビニル）シクロプロパンカルボキシレート（トランスフルトリン）、４−メチル−２，３，５，６−テトラフルオロベンジル  ２，２−ジメチル−３−（１−プロペニル）シクロプロパンカルボキシレート（プロフルトリン）、４−メトキシメチル−２，３，５，６−テトラフルオロベンジル  ２，２−ジメチル−３−（１−プロペニル）シクロプロパンカルボキシレート（メトフルトリン）、４−メトキシメチル−２，３，５，６−テトラフルオロベンジル  ２，２，３，３−テトラメチルシクロプロパンカルボキシレート、４−プロパルギル−２，３，５，６−テトラフルオロベンジル  ２，２，３，３−テトラメチルシクロプロパンカルボキシレート、エムペントリン等が挙げられる。これらのピレスロイド化合物には、各種の異性体を有するものが存在するが、その場合、異性体のうちの一種のみからなる単独物、又は任意の比率の異性体混合物の何れであっても使用可能である。また、上掲のピレスロイド化合物から２種以上を適宜選択し、揮散性の調整を図って長期間の使用に耐え得る製剤とすることも可能である。
【００３５】
上掲のピレスロイド化合物以外の揮散性薬剤には、殺虫剤として、ジノテフラン等のネオニコチノイド系殺虫成分、フェニトロチオン等の有機リン系殺虫成分、プロポクスル等のカーバメート系殺虫成分が挙げられる。殺ダニ剤として、５−クロロ−２−トリフルオロメタンスルホンアミド安息香酸メチル、サリチル酸フェニル、３−ヨード−２−プロピニルブチルカーバメート等が挙げられる。忌避剤（忌避成分）として、ディート、ジメチルフタレート、２−エチル−１，３−ヘキサンジオール等が挙げられる。抗菌剤（抗菌成分）として、ヒノキチオール、テトラヒドロリナロール、オイゲノール、アリルイソチオシアネート等が挙げられる。防虫香料として、シトロネラ油、オレンジ油、レモン油、ライム油、ユズ油、ラベンダー油、ペパーミント油、ユーカリ油、ジャスミン油、檜油、緑茶精油、リモネン、α−ピネン、シトロネラール、テルピネオール、リナロール、ゲラニオール、フェニルエチルアルコール、アミルシンナミックアルデヒド、クミンアルデヒド、ベンジルアセテート等が挙げられる。また、消臭剤の他に、「緑の香り」と呼ばれる青葉アルコールや青葉アルデヒドを配合することも有用である。
【００３６】
揮散性薬剤は、そのままの状態で使用してもよいが、各種の溶剤で希釈したり、あるいは各種の添加剤を加えて使用することも可能である。溶剤としては、ｎ−パラフィン、イソパラフィン等の炭化水素系溶剤、プロピレングリコール、１，３−ブチレングリコール、１，４−ブチレングリコール、ジエチレングリコール、ジプロピレングリコール、ヘキシレングリコール等の炭素数３〜６のグリコール、及びこれらのグリコールエーテル、ケトン系溶剤、並びにエステル系溶剤などが挙げられる。揮散性薬剤は、これらの溶剤を用いて適宜希釈され、薬剤保持体５０に保持される。添加剤として、例えば、ＢＨＴ、ＢＨＡ、２，２´−メチレンビス（４−エチル−６−ｔ−ブチルフェノール）、２，２´−メチレンビス（４−メチル−６−ｔ−ブチルフェノール）、４，４´−メチレンビス（２−メチル−６−ｔ−ブチルフェノール）、３，５−ジーｔ−ブチル−４−ヒドロキシアニソール、メルカブトベンズイミダゾール等の安定剤が挙げられる。また、必要に応じて、紫外線吸収剤、紫外線散乱剤、光沢剤、消炎剤、制汗剤、保湿剤、界面活性剤、分散剤、香料等の種々の成分を添加することも可能である。
【００３７】
〔薬剤揮散装置〕
次に、上記のように構成した薬剤保持体を備える本発明の薬剤揮散装置について説明する。本発明の薬剤揮散装置は、殺虫剤や忌避剤等の揮散性薬剤を空気中に揮散させることにより、蚊類、ユスリカ類、コバエ類等の飛翔害虫や、ゴキブリ類、アリ類、ムカデ類、クモ類等の匍匐害虫を防除するために使用されるものである。以下、本発明の薬剤揮散装置における代表的な二つの実施形態について説明する。
【００３８】
＜第一実施形態＞
図２は、本発明の第一実施形態に係る薬剤揮散装置１００の概略構成図である。（ａ）は薬剤揮散装置１００の縦断面図であり、（ｂ）は薬剤揮散装置１００のＡ−Ａ´位置における横断面図である。薬剤揮散装置１００は、基本構成として、薬剤保持体５１と回転駆動部６０とを備えている。薬剤保持体５１は、薬剤保持層１０と通気層２０とを積層したものである。また、通気層２０に隣接する位置に形態維持層３０が設けられている。本実施形態の薬剤揮散装置１００では、薬剤保持体５１として、図２（ｂ）に示すように、円盤形状に加工されたものが使用される。すなわち、これは、図１に示す薬剤保持層１０、通気層２０、及び形態維持層３０の積層物からなるシート状の薬剤保持体５０を円形に型抜きしたものである。この場合、薬剤保持体５１のサイズは直径Ｒ１が約４〜８ｃｍに設定され、薬剤保持層１０と通気層２０とを合わせた厚みＤ１が約１〜７ｍｍに設定される。このような円盤形状の薬剤保持体５１とすれば、薬剤保持体５１が薄型化されるため、携帯性に優れた薬剤揮散装置１００を構成することができる。
【００３９】
円盤形状の薬剤保持体５１は、回転カートリッジ７０に収納した状態で使用される。回転カートリッジ７０は、シャフト７１、及びケース７２を備えており、薬剤保持体５１の中心がシャフト７１によって貫通された状態で固定される。回転カートリッジ７０のケース７２には、薬剤保持体５１から揮散性薬剤を効率よく揮散させるため、開口部（図示せず）が適宜設けられる。回転カートリッジ７０のシャフト７１は、回転駆動部６０に接続される。回転駆動部６０は、電源６１及び駆動モーター６２が内蔵されており、薬剤保持体５１が収納された回転カートリッジ７０を設定した回転速度で回転させることができる。このように、薬剤保持体５１を回転カートリッジ７０に収納した状態で回転駆動部６０によって回転させると、遠心力で薬剤保持体５１が変形することが抑制されるため、薬剤保持体５１の回転時における遠心効果（これについては後述する）のバラツキを低減することができる。回転駆動部６０の電源６１は、直流電源又は交流電源の何れでも構わないが、薬剤揮散装置１００を携帯する場合は、アルカリ電池、マンガン電池、充電式電池、太陽電池等の電池が好適に使用される。電池の容量は、用法や用量に応じて適宜選択可能である。例えば、薬剤揮散装置１００を携帯用又は屋内部屋用の揮散装置として利用する場合は、単２型乃至単４型電池を使用することが好ましく、大空間用の大型揮散装置として利用する場合は、単１型乃至単２型電池を複数本使用することが好ましい。駆動モーター６２は、一般に使用されるモーターであれば特に限定されず、例えば、ブラシモーターやブラシレスモーターが挙げられる。特に、ブラシレスモーターは、耐久性及び使用性に優れているため、薬剤揮散装置１００の駆動モーター６２として好適である。駆動モーター６２の回転数（すなわち、薬剤保持体５１の回転数）は、５００〜２０００ｒｐｍに設定され、好ましくは７００〜１６００ｒｐｍに設定される。回転数が５００ｒｐｍ未満の場合、十分な薬剤揮散効果が得られない可能性があり、回転数が２０００ｒｐｍを超える場合、電源６１として電池を使用した場合に消耗が早まり、長時間の使用ができなくなる。また、回転駆動部６０には、ＯＮ−ＯＦＦスイッチや、使用終了時期を知らせるパイロットランプ等を設けることも可能である。パイロットランプ等を設けた場合、発熱によって回転駆動部６０の表面温度が若干上昇するため、この熱を利用して薬剤保持体５１に保持されている揮散性薬剤の揮散性を向上させることも可能である。
【００４０】
回転駆動部６０を駆動させると、薬剤保持体５１は回転カートリッジ７０と一体となってシャフト７１の軸心（回転軸）Ｘの周りを回転する。このとき、薬剤保持体５１には回転による遠心力が作用するとともに、回転に伴って薬剤保持体５１の周囲には図２（ａ）の矢印で示すように攪拌気流が発生する。そうすると、薬剤保持層１０に保持されていた揮散性薬剤は、通気層２０から空気中に揮散し、さらに拡散して、薬剤揮散装置１００の周囲において防虫効果及び殺虫効果が発揮される。
【００４１】
＜第二実施形態＞
図３は、本発明の第二実施形態に係る薬剤揮散装置２００の概略構成図である。（ａ）は薬剤揮散装置２００の縦断面図であり、（ｂ）は薬剤揮散装置２００のＢ−Ｂ´位置における横断面図である。薬剤揮散装置２００は、第一実施形態の薬剤揮散装置１００と同様に基本構成として、薬剤保持体５２と回転駆動部６０とを備えている。薬剤保持体５２は、薬剤保持層１０と通気層２０とを積層したものである。また、通気層２０に隣接する位置に形態維持層３０が設けられている。本実施形態の薬剤揮散装置２００では、薬剤保持体５２として、図３（ｂ）に示すように、中空円筒形状に加工されたものが使用される。すなわち、これは、図１に示す薬剤保持層１０、通気層２０、及び形態維持層３０の積層物からなるシート状の薬剤保持体５０を薬剤保持層１０が内側となるように筒状に巻いたものである。この場合、薬剤保持体５２のサイズは内径Ｒ２が約６〜１０ｃｍに設定され、薬剤保持層１０と通気層２０とを合わせた厚みＤ２が約１〜７ｍｍに設定され、高さＴ１が３〜１０ｃｍに設定される。このような中空円筒形状の薬剤保持体５２とすれば、長さ方向において中心軸（後述の回転軸）から薬剤保持層１０までの距離が等しくなるため、薬剤保持層１０のあらゆる位置において揮散性薬剤に作用する遠心効果（これについては後述する）が略等しくなる。その結果、薬剤保持体５２の全周に亘って、略均一な薬剤揮散効果を発揮させることができる。
【００４２】
中空円筒形状の薬剤保持体５２は、回転カートリッジ７０に収納した状態で使用される。回転カートリッジ７０は、シャフト７１、ケース７２、及び係止片７３を備えており、薬剤保持体５２は、ケース７２と係止片７３との隙間に挿入して固定される。回転カートリッジ７０のケース７２には、薬剤保持体５２から揮散性薬剤を効率よく揮散させるため、開口部（図示せず）が適宜設けられる。回転カートリッジ７０のシャフト７１は、電源６１及び駆動モーター６２が内蔵された回転駆動部６０に接続される。回転駆動部６０の構成は第一実施形態と同様であるため、詳細な説明は省略する。
【００４３】
回転駆動部６０を駆動させると、薬剤保持体５２は回転カートリッジ７０と一体となってシャフト７１の軸心（回転軸）Ｘの周りを回転する。このとき、薬剤保持体５２には回転による遠心力が作用するとともに、回転に伴って薬剤保持体５２の周囲には図３（ａ）の矢印で示すように攪拌気流が発生する。そうすると、薬剤保持層１０に保持されていた揮散性薬剤は、通気層２０から空気中に揮散し、さらに拡散して、薬剤揮散装置２００の周囲において防虫効果及び殺虫効果が発揮される。
【００４４】
〔薬剤揮散装置における遠心効果〕
上述の第一実施形態に係る薬剤揮散装置１００、及び第二実施形態に係る薬剤揮散装置２００においては、薬剤保持体５０（５１，５２）の回転時に適切な遠心効果が得られるように設定することが重要である。ここで、遠心効果（Ｇ）とは、回転体の遠心力の強さを表す指標であり、下記の式（Ｉ）によって示される数値（Ｇ＝ｍ／秒２）である。
遠心効果（Ｇ）  ＝  Ｒ  ×  Ｎ２  ／  ８９４  ・・・  （Ｉ）
〔Ｒ：回転半径（ｍ）、Ｎ：回転数（ｒｐｍ）〕
【００４５】
本発明者らは、薬剤保持体５０（５１，５２）の回転時に１０〜１５０（Ｇ）の遠心効果が得られるように、薬剤保持体５０（５１，５２）の形状及びサイズを設定し、さらに回転駆動部６０の回転速度を調整すると、薬剤保持体５０（５１，５２）から揮散性薬剤を効率よく揮散させ、且つ十分に拡散させることができることを見出した。遠心効果が１０（Ｇ）未満の場合、薬剤揮散装置１００，２００としての揮散性能が不足し、揮散性薬剤による防虫効果及び殺虫効果が十分に得られない虞がある。遠心効果が１５０（Ｇ）を超える場合、薬剤保持体５０（５１，５２）に保持されている揮散性薬剤が周囲に飛散し、防虫効果及び殺虫効果が十分に得られない虞がある。また、揮散性薬剤が液体のまま飛び散って周囲を汚染する原因にもなり得る。薬剤揮散装置１００，２００を用いて本発明の薬剤揮散方法を実施するにあたっては、１０〜１５０（Ｇ）の遠心効果が得られるように、薬剤保持体５０（５１，５２）の回転速度を調整すれば（回転調整工程）、薬剤保持体５０（５１，５２）に保持されている揮散性薬剤を空気中に効率よく揮散させ、且つ十分に拡散させることができるため、薬剤揮散装置１００，２００を比較的大きな空間や屋外で使用しても、防虫効果及び殺虫効果を十分に発揮させることが可能となる。
【００４６】
また、薬剤揮散装置１００，２００の揮散性能に関し、通気層２０の空隙２１は、薬剤保持層１０の間隙１１よりも大きいサイズに設定されているため、薬剤保持体５０（５１，５２）の回転に伴って発生する攪拌気流は、揮散性薬剤の揮散に影響すると考えられる。本発明者らはさらなる鋭意検討の末、上記の遠心効果（Ｇ）が得られる範囲において、薬剤保持体５０（５１，５２）を構成する薬剤保持層１０及び通気層２０を適切な厚み比率に設定すると、薬剤揮散装置１００，２００は効率的に揮散性能を発揮し得ることを見出した。ここで、通気層２０の厚みをＡとし、薬剤保持層１０の厚みをＢとすると、厚み比率（Ｐ）｛Ｐ＝Ａ／Ｂ｝は、１．５より大きく５０以下の値となるように設定することが好ましい。厚み比率（Ｐ）が１．５以下の場合、通気層２０の厚み（Ａ）が薬剤保持層１０の厚み（Ｂ）に対して不足するため、薬剤保持層１０に保持されている揮散性薬剤を安定して揮散させることが困難となる。また、通気層２０がもたらす攪拌気流が弱くなるため、揮散性薬剤の揮散効率が低下することになる。一方、厚み比率（Ｐ）が５０を超える場合、通気層２０の厚み（Ａ）が薬剤保持層１０の厚み（Ｂ）に対して過大となるため、薬剤保持層１０に保持されている揮散性薬剤は早期に大半が揮散し、揮散性薬剤の持続的な効果を得ることが困難となる。また、薬剤保持体５０（５１，５２）を回転カートリッジ７０に収納した状態では、薬剤保持層１０と通気層２０との厚みの和に制約があるため、薬剤保持層２０の厚みが相対的に薄くなる。その結果、揮散性薬剤の保持量が少なくなり、長時間に亘って揮散性薬剤の効果を発揮させることが困難となる。
【００４７】
さらに、本発明者らは、遠心効果（Ｇ）と厚み比率（Ｐ）との関係を詳細に検証したところ、遠心効果（Ｇ）を厚み比率（Ｐ）で除した値（Ｇ／Ｐ）を遠心揮散指数（Ｔ）と規定し、回転負荷等のファクターを考慮した上で、遠心揮散指数（Ｔ）を適切な範囲に設定すれば、薬剤揮散装置１００，２００はさらに効率的に揮散性能を発揮し得ることを見出した。本発明においては、遠心揮散指数（Ｔ）が１．１より大きく２２未満の値となるように、薬剤保持体５０（５１，５２）の回転速度（すなわち、回転駆動部６０の回転数）を設定することが有効である。この場合、薬剤保持体５０（５１，５２）に保持されている揮散性薬剤は、より効率よく揮散し、且つ十分に空気中に拡散するため、薬剤揮散装置１００，２００をより大きな空間や屋外で使用しても、防虫効果及び殺虫効果を確実に発揮させることが可能となる。
【００４８】
なお、第二実施形態に係る薬剤揮散装置２００においては、薬剤保持体５２は中空円筒形状であるため、第一実施形態における円盤形状の薬剤保持体５１と比べると、一般に大型化し、回転負荷が大きくなる傾向がある。一方、中空円筒形状の薬剤保持体５２は、円盤形状の薬剤保持体５１よりも薬剤保持層１０の表面積を大きくすることができる。そこで、第二実施形態においては、薬剤保持層１０の厚みを薄くし、回転負荷の増大を相殺するように設計することも可能である。
【実施例】
【００４９】
本発明の薬剤揮散装置を使用した場合の防虫効果及び殺虫効果を確認するため、屋外における効力確認試験（実施例１、２及び３）、並びに室内における効力確認試験（実施例４及び５）を実施した。
【００５０】
＜実施例１＞
ポリエステル繊維からなる薬剤保持層（厚み：０．３ｍｍ）と、ポリエステル繊維からなる通気層（厚み：１．６ｍｍ）とを、拠糸状態のポリエステル繊維を用いて積層するように接合し、さらに通気層の上部に隣接するようにポリエステル繊維からなる形態維持層（厚み：０．２ｍｍ）を設けて円盤形状の薬剤保持体（厚み：２．１ｍｍ、外径：４．５ｃｍ）を形成した。この薬剤保持体における通気層と薬剤保持層との厚み比率（Ｐ）は５．３となる。次いで、薬剤保持体をポリカーボネート製の回転カートリッジ（厚み：８ｍｍ、外径５．２ｃｍ）に収納し、揮散性薬剤としてメトフルトリン４０ｍｇをケロシン０．０７ｍＬに溶解させた薬液を薬剤保持体に万遍なく滴下し、メトフルトリンを薬剤保持体に保持させた。そして、回転カートリッジを回転駆動部に接続し、実施例１の薬剤揮散装置を構成した。
【００５１】
実施例１の薬剤揮散装置において、回転駆動部を１２００ｒｐｍで回転させると（この場合、薬剤保持体も１２００ｒｐｍで回転する）、薬剤保持体に作用する遠心効果（Ｇ）は３６．２（Ｇ）であり、遠心効果（Ｇ）を厚み比率（Ｐ）で除した遠心揮散指数（Ｔ）は６．８であった。この回転状態のまま薬剤揮散装置を被験者の腰に携帯し、屋外において延べ１２０時間使用したところ、試験期間中に亘って被験者は蚊等の不快な害虫に悩まされることはなかった。このように、実施例１の薬剤揮散装置においては、揮散性薬剤の揮散による優れた防虫効果が確認された。
【００５２】
＜実施例２＞
実施例１で形成した円盤形状の薬剤保持体を二枚重ねて実施例１と同じポリカーボネート製の回転カートリッジに収納し、揮散性薬剤としてメトフルトリン６０ｍｇをケロシン０．０８ｍＬに溶解させた薬液を薬剤保持体に万遍なく滴下し、メトフルトリンを薬剤保持体に保持させた。そして、回転カートリッジを回転駆動部に接続し、実施例２の薬剤揮散装置を構成した。
【００５３】
実施例２の薬剤揮散装置において、実施例１と同様の操作を行ったところ、その防虫効果は２４０時間に亘って有効であった。
【００５４】
＜実施例３＞
ポリエステル繊維からなる平板状の繊維立体構造体（厚み：４．５ｍｍ）をそのまま薬剤保持体として使用した。従って、この薬剤保持体では、薬剤保持層（厚み：０．３ｍｍ）と通気層（厚み：３．９ｍｍ）と形態維持層（厚み：０．３ｍｍ）とが一体で存在している。この薬剤保持体における通気層と薬剤保持層との厚み比率（Ｐ）は１３となる。次いで、揮散性薬剤としてトランスフルトリン１．２ｇをケロシン１．２ｍＬに溶解させた薬液を薬剤保持体に万遍なく滴下し、トランスフルトリンを薬剤保持体に保持させた。そして、この薬剤保持体を筒状に巻いて中空円筒形状に成形し、これをポリカーボネート製の回転カートリッジ（直径：８ｃｍ、高さ：５ｃｍ）に収納した。そして、回転カートリッジを回転駆動部に接続し、実施例３の薬剤揮散装置を構成した。
【００５５】
実施例３の薬剤揮散装置において、回転駆動部を１０００ｒｐｍで回転させると（この場合、薬剤保持体も１０００ｒｐｍで回転する）、薬剤保持体に作用する遠心効果（Ｇ）は４４．７（Ｇ）であり、遠心効果（Ｇ）を厚み比率（Ｐ）で除した遠心揮散指数（Ｔ）は３．４であった。この回転状態のまま薬剤揮散装置を屋外に設置し、延べ９６０時間使用したところ、試験期間中に亘って薬剤揮散装置を中心とした周囲約５ｍの範囲において蚊等の飛翔害虫が寄り付くことはなかった。このように、実施例３の薬剤揮散装置においては、揮散性薬剤の揮散による優れた防虫効果が確認された。
【００５６】
＜実施例４＞
実施例１に準じた手順で揮散性薬剤を保持させた円盤形状の薬剤保持体を形成し、これを実施例１と同様のポリカーボネート製の回転カートリッジに収納し、さらに回転カートリッジを回転駆動部に接続し、実施例４の薬剤揮散装置を構成した。ただし、実施例４の薬剤揮散装置は２４０時間用に設計したため、円盤形状の薬剤保持体の厚みは実施例１の約２倍とし、揮散性薬剤としてのメトフルトリンの保持量は薬剤保持体あたり６０ｍｇとした。実施例４では、直径（Ｒ１）、及び通気層と薬剤保持層との厚み比率（Ｐ）が異なる薬剤保持体を複数準備し、薬剤保持体の回転数（Ｎ）、遠心効果（Ｇ）、及び遠心揮散指数（Ｔ）を変化させることにより、揮散性薬剤の効力の違いを検証した（表１の試験番号１〜４１）。具体的には、試験番号１〜４１の薬剤揮散装置を、アカイエカの雌成虫１００匹を放った６畳の部屋（２５ｍ３）の中央に設置し、揮散性薬剤の揮散による殺虫効果を確認した。殺虫効果は、ＫＴ５０によって評価し、５０％のアカイエカがノックダウンされるまでの時間が、５分以上３０分未満を「◎」、３０分以上６０分未満を「○」、６０分以上９０分未満を「△」、９０分以上を「×」とした。
【００５７】
【表１】
2019047815.tif 000003
【００５８】
表１より、薬剤保持体に作用する遠心効果（Ｇ）が１０〜１５０（ｍ／秒２）の範囲となるように、薬剤保持体の直径（Ｒ１）及び回転数（Ｎ）を設定すると、一定以上の殺虫効果が得られることが判明した。さらに、厚み比率（Ｐ）が１．５より大きく５０以下の値となるように設定し、且つ遠心揮散指数（Ｔ）が１．１より大きく２２未満の値となるように設定すると、より優れた殺虫効果が得られることも明らかとなった。これに対し、試験番号１８、２３のように、薬剤保持層の厚み（Ｂ）が小さく、厚み比率（Ｐ）が５０を超えるものは、薬剤保持体における薬剤保持能が不足するため、殺虫効果の発現に支障をきたす懸念があった。また、試験番号２２、２７のように、通気層の厚み（Ａ）が小さく、厚み比率（Ｐ）が１．５以下のものは、通気層がもたらす攪拌気流が弱くなるため、揮散性薬剤の揮散効率が低下する傾向が見られた。
【００５９】
＜実施例５＞
実施例３に準じた手順で揮散性薬剤を保持させた中空円筒形状の薬剤保持体を形成し、これを実施例３と同様のポリカーボネート製の回転カートリッジに収納し、さらに回転カートリッジを回転駆動部に接続し、実施例５の薬剤揮散装置を構成した。実施例５では、内径（Ｒ２）、及び通気層と薬剤保持層との厚み比率（Ｐ）が異なる薬剤保持体を複数準備し、薬剤保持体の回転数（Ｎ）、遠心効果（Ｇ）、及び遠心揮散指数（Ｔ）を変えることにより、揮散性薬剤の効力の違いを検証した（表２の試験番号４２〜８１）。効力確認試験における試験方法、及び殺虫効果の評価方法は、２５畳の部屋（１０５ｍ３）で実施した以外は実施例４と同様である。
【００６０】
【表２】
2019047815.tif 000004
【００６１】
表２より、薬剤保持体に作用する遠心効果（Ｇ）が１０〜１５０（ｍ／秒２）の範囲となるように、薬剤保持体の内径（Ｒ２）及び回転数（Ｎ）を設定すると、一定以上の殺虫効果が得られることが判明した。さらに、厚み比率（Ｐ）が１．５より大きく５０以下の値となるように設定し、且つ遠心揮散指数（Ｔ）が１．１より大きく２２未満の値となるように設定すると、より優れた殺虫効果が得られることも明らかとなった。これに対し、試験番号５９、６４のように、薬剤保持層の厚み（Ｂ）が小さく、厚み比率（Ｐ）が５０を超えるものは、薬剤保持体における薬剤保持能が不足するため、殺虫効果の発現に支障をきたす懸念があった。また、試験番号６３、６８のように、通気層の厚み（Ａ）が小さく、厚み比率（Ｐ）が１．５以下のものは、通気層がもたらす攪拌気流が弱くなるため、揮散性薬剤の揮散効率が低下する傾向が見られた。
【産業上の利用可能性】
【００６２】
本発明の薬剤揮散装置、及び薬剤揮散方法は、蚊類、蚋、ユスリカ類、ハエ類、チョウバエ類、イガ類等の飛翔害虫を忌避又は殺虫する目的において利用されるものであるが、ゴキブリ類、アリ類、ムカデ類、クモ類等の匍匐害虫を防除する用途においても適用可能である。
【符号の説明】
【００６３】
１０                  薬剤保持層
１１                  間隙
２０                  通気層
２１                  空隙
３０                  形態維持層
５０（５１，５２）    薬剤保持体
６０                  回転駆動部
７０                  回転カートリッジ
１００，２００        薬剤揮散装置
【図１】
2019047815.tif 000005
【図２】
2019047815.tif 000006
【図３】
2019047815.tif 000007